(57)【要約】【課題】輻射熱交換器（輻射パネル）の輻射板の温度が低下するのを防ぐ。【解決手段】室内機内において室内ファンと対向するように設けられた室内熱交換器と、室内機の表面に設けられた輻射パネルとを有する。輻射パネルを構成する輻射板３１の下端部は、空気を室内機内に吸い込む補助吸込口に面している。そして、輻射板３１の下端部に、伝熱を抑制する伝熱抑制手段となる溝部３９を形成する。【選択図】図６
2012172848.tif 000002
【特許請求の範囲】
【請求項１】
室内熱交換器と輻射熱交換器とを備えた室内機であって、
前記室内熱交換器が、前記室内機内においてファンと対向するように設けられ、
前記輻射熱交換器が、前記室内機の表面に設けられており、
空気を前記室内機内へ吸い込む吸込口と、
前記輻射熱交換器の一部であって、前記吸込口に面する端部を有する輻射板とを有しており、
前記輻射板の前記端部に、伝熱抑制手段が設けられていることを特徴とする室内機。
【請求項２】
前記室内機の下端部に設けられ、空気を吸い込む主吸込口と、
前記室内機の上端部に設けられ、空気を吹き出す吹出口と、
前記主吸込口と前記吹出口との間に設けられた補助吸込口を有しており、
前記輻射板の前記端部が、前記補助吸込口に面していることを特徴とする請求項１に記載の室内機。
【請求項３】
前記伝熱抑制手段が、前記輻射板の前記端部に設けられた溝部であることを特徴とする請求項１または２に記載の室内機。
【請求項４】
前記伝熱抑制手段が、前記輻射板の前記端部に設けられた肉薄部であることを特徴とする請求項１または２に記載の室内機。
【請求項５】
前記肉薄部が、先端に近付くにつれて薄くなることを特徴とする請求項４に記載の室内機。
【請求項６】
前記伝熱抑制手段が、前記輻射板の前記端部に設けられた断熱部材であることを特徴とする請求項１または２に記載の室内機。
【発明の詳細な説明】
【技術分野】
【０００１】
本発明は、室内熱交換器と輻射熱交換器とを備えた室内機に関するものである。
【背景技術】
【０００２】
室内機として、その内部においてファンと対向するように配置された室内熱交換器と、その表面に配置された輻射パネルとを備えたものが知られている（例えば、特許文献１参照）。特許文献１の室内機は、下端部に設けられた吸込口から空気を吸い込み、上端部に設けられた吹出口から空気を吹き出す構成になっており、輻射パネルの輻射板の下端部は、吸込口に面している。
【先行技術文献】
【特許文献】
【０００３】
【特許文献１】実開平４−３６５２７号公報
【発明の概要】
【発明が解決しようとする課題】
【０００４】
上述のような室内機においては、吸込口から吸い込まれる空気によって、輻射板の下端部が冷却される。そして、輻射板の下端部以外の部分の熱が、熱伝導により輻射板の下端部に伝わり、輻射板の温度が全体的に低下するという問題が生じる。
【０００５】
そこで、本発明の目的は、輻射熱交換器（輻射パネル）の輻射板の温度が低下するのを防ぐことができる室内機を提供することである。
【課題を解決するための手段】
【０００６】
第１の発明に係る室内機は、室内熱交換器と輻射熱交換器とを備えた室内機であって、前記室内熱交換器が、前記室内機内においてファンと対向するように設けられ、前記輻射熱交換器が、前記室内機の表面に設けられており、空気を前記室内機内へ吸い込む吸込口と、前記輻射熱交換器の一部であって、前記吸込口に面する端部を有する輻射板とを有しており、前記輻射板の前記端部に、伝熱抑制手段が設けられている。
【０００７】
この室内機では、伝熱抑制手段により、輻射板における吸込口に面する端部以外の部分の熱が、吸い込み空気によって冷却された輻射板の端部に移動するのを抑制できる。したがって、輻射板の温度が全体的に低下するのを防ぐことができる。
【０００８】
第２の発明に係る室内機は、第１の発明に係る室内機において、前記室内機の下端部に設けられ、空気を吸い込む主吸込口と、前記室内機の上端部に設けられ、空気を吹き出す吹出口と、前記主吸込口と前記吹出口との間に設けられた補助吸込口を有しており、前記輻射板の前記端部が、前記補助吸込口に面している。
【０００９】
この室内機では、輻射板の端部に面する補助吸込口を設けた場合でも、輻射板の温度が全体的に低下するのを防ぐことができる。
【００１０】
第３の発明に係る室内機では、第１または第２の発明に係る室内機において、前記伝熱抑制手段が、前記輻射板の前記端部に設けられた溝部である。
【００１１】
この室内機では、輻射板の溝部が形成された部分は、その他の部分に比べて厚みが薄く、伝熱抵抗が大きくなっている。よって、輻射板における端部以外の部分の熱が、溝部及び溝部よりも端部側に移動するのを抑制できる。また、別部材を用いることなく容易に伝熱抑制手段を設けることができる。
【００１２】
第４の発明に係る室内機では、第１または第２の発明に係る室内機において、前記伝熱抑制手段が、前記輻射板の前記端部に設けられた肉薄部である。
【００１３】
この室内機では、輻射板の肉薄部が形成された部分は、その他の部分に比べて伝熱抵抗が大きくなっている。よって、輻射板における端部以外の部分の熱が、肉薄部が設けられた端部に移動するのを抑制できる。また、別部材を用いることなく容易に伝熱抑制手段を設けることができる。
【００１４】
第５の発明に係る室内機では、第４の発明に係る室内機において、前記肉薄部が、先端に近付くにつれて薄くなる。
【００１５】
この室内機では、輻射板における肉薄部が形成された端部の先端に近付くにつれて、伝熱抵抗が大きくなっている。したがって、輻射板における端部以外の部分の熱が、吸い込み空気によって最も冷却される輻射板の端部の先端近傍に移動するのを抑制できる。
【００１６】
第６の発明に係る室内機では、第１または第２の発明に係る室内機において、前記伝熱抑制手段が、前記輻射板の前記端部に設けられた断熱部材である。
【００１７】
この室内機では、断熱部材により、輻射板における端部以外の部分の熱が端部に移動するのを抑制できる。
【発明の効果】
【００１８】
以上の説明に述べたように、本発明によれば、以下の効果が得られる。
【００１９】
第１の発明では、伝熱抑制手段により、輻射板における吸込口に面する端部以外の部分の熱が、吸い込み空気によって冷却された輻射板の端部に移動するのを抑制できる。したがって、輻射板の温度が全体的に低下するのを防ぐことができる。
【００２０】
第２の発明では、輻射板の端部に面する補助吸込口を設けた場合でも、輻射板の温度が全体的に低下するのを防ぐことができる。
【００２１】
第３の発明では、輻射板の溝部が形成された部分は、その他の部分に比べて厚みが薄く、伝熱抵抗が大きくなっている。よって、輻射板における端部以外の部分の熱が、溝部及び溝部よりも端部側に移動するのを抑制できる。また、別部材を用いることなく容易に伝熱抑制手段を設けることができる。
【００２２】
第４の発明では、輻射板の肉薄部が形成された部分は、その他の部分に比べて伝熱抵抗が大きくなっている。よって、輻射板における端部以外の部分の熱が、肉薄部が設けられた端部に移動するのを抑制できる。また、別部材を用いることなく容易に伝熱抑制手段を設けることができる。
【００２３】
第５の発明では、輻射板における肉薄部が形成された端部の先端に近付くにつれて、伝熱抵抗が大きくなっている。したがって、輻射板における端部以外の部分の熱が、吸い込み空気によって最も冷却される輻射板の端部の先端近傍に移動するのを抑制できる。
【００２４】
第６の発明では、断熱部材により、輻射板における端部以外の部分の熱が端部に移動するのを抑制できる。
【図面の簡単な説明】
【００２５】
【図１】本発明の実施形態に係る室内機を備えた空気調和機の概略構成を示す回路図であって、冷房運転モードでの運転時と温風暖房運転モードでの運転時の冷媒の流れを示す図である。
【図２】本発明の実施形態に係る室内機を備えた空気調和機の概略構成を示す回路図であって、輻射暖房運転モードでの運転時の冷媒の流れを示す図である。
【図３】図１及び図２に示す室内機の斜視図である。
【図４】図３に示す室内機のIV−IV線に沿う断面図である。
【図５】（ａ）は図３に示す輻射パネルの正面図であり、（ｂ）は（ａ）の上視図であり、（ｃ）は（ａ）の背面図である。
【図６】（ａ）は図５に示す輻射板の背面図であり、（ｂ）は（ａ）のb−b線に沿う断面図である。
【図７】図５（ａ）のVII−VII線に沿う断面図である。
【図８】図７の溝部が形成された下端部の拡大図である。
【図９】本実施形態の第１の変形例に係る室内機における輻射板の下端部の拡大図である。
【図１０】本実施形態の第２の変形例に係る室内機における輻射板の下端部の拡大図である。
【図１１】本実施形態の第３の変形例に係る室内機における輻射板の下端部の拡大図である。
【発明を実施するための形態】
【００２６】
以下、本発明の実施形態に係る室内機２を備えた空気調和機１について説明する。
【００２７】
＜空気調和機１の全体構成＞
図１及び図２に示すように、本実施形態の空気調和機１は、室内に設置される室内機２と、室外に設置される室外機６とを備えている。室内機２は、室内熱交換器２０と、室内熱交換器２０の近傍に配置された室内ファン２１と、輻射パネル３０と、室内電動弁２３と、室内の気温を検出するための室内温度センサ２４と、を備えている。また、室外機６は、圧縮機６０と、四路切換弁６１と、室外熱交換器６２と、室外熱交換器６２の近傍に配置された室外ファン６３と、室外電動弁６４とを備えている。
【００２８】
また、空気調和機１は、室内機２と室外機６とを接続する冷媒回路１０を備えている。冷媒回路１０は、室外電動弁６４、室外熱交換器６２及び圧縮機６０が順に設けられた主流路１１を有している。圧縮機６０の吸入側配管及び吐出側配管は、四路切換弁６１に接続されている。暖房運転時（後で詳述するように、冷媒回路１０において図１、２中実線の矢印で示す方向に冷媒が流れる時）、主流路１１の圧縮機６０の下流側となる部分に分岐部１０ａが設けられており、室外電動弁６４の上流側となる部分に合流部１０ｂが設けられている。そして、冷媒回路１０は、分岐部１０ａと合流部１０ｂとを接続すると共に、室内熱交換器２０が設けられた第１流路１２と、分岐部１０ａと合流部１０ｂとを第１流路１２と並列に接続すると共に、輻射パネル３０が設けられた第２流路１３とをさらに有している。
【００２９】
第２流路１３における輻射パネル３０と合流部１０ｂとの間には、室内電動弁２３が設けられている。また、第２流路１３における輻射パネル３０の両側には、パネル入温度センサ２５とパネル出温度センサ２６とが付設されている。より具体的には、パネル入温度センサ２５は、暖房運転時において、輻射パネル３０の後述する輻射熱交換器３４（図５（ａ）等参照）よりも上流側の配管に設けられている。パネル出温度センサ２６は、暖房運転時において、輻射パネル３０の輻射熱交換器３４よりも下流側の配管に設けられている。
【００３０】
また、冷媒回路１０における圧縮機６０の吸入側と四路切換弁６１との間にはアキュムレータ６５が介設されており、冷媒回路１０における圧縮機６０の吐出側と四路切換弁６１との間には、吐出温度センサ６６が付設されている。さらに、室外熱交換器６２には、室外熱交温度センサ６８が付設されている。
【００３１】
室内熱交換器２０は、冷媒回路１０の一部を構成する配管を有しており、室内熱交温度センサ２７が付設されている。室内熱交換器２０は、室内ファン２１の風上側に配置されている。室内熱交換器２０との熱交換により加熱または冷却された空気が、室内ファン２１によって温風または冷風として室内に吹き出されることで、温風暖房または冷房が行われる。
【００３２】
輻射パネル３０は、後で詳述するように、室内機２の表面側に配置されており、冷媒回路１０の一部を構成するパネル配管３６（図５等参照）を有している。この配管を流れる冷媒の熱が室内に輻射されることで輻射暖房が行われる。室内電動弁２３は、輻射パネル３０に供給される冷媒の流量を調整するために設けられている。
【００３３】
本実施形態の空気調和機１では、冷房運転モード、温風暖房運転モード、及び輻射暖房運転モードの３種類の運転モードでの運転か可能である。冷房運転モードは、輻射パネル３０に冷媒を流さないで室内熱交換器２０に冷媒を流して冷房を行う運転モードである。温風暖房運転モードは、輻射パネル３０に冷媒を流さないで室内熱交換器２０に冷媒を流して温風暖房を行う運転モードである。輻射暖房運転モードは、室内熱交換器２０に冷媒を流して温風暖房を行うと共に、輻射パネル３０に冷媒を流して輻射暖房を行う運転モードである。
【００３４】
各運転時における冷媒回路１０の冷媒の流れについて図１及び図２を用いて説明する。
冷房運転モード時には、室内電動弁２３が閉弁されると共に、四路切換弁６１が図１中破線で示す状態に切り換えられる。そのため、図１中破線の矢印で示すように、圧縮機６０から吐出された高温高圧冷媒は、四路切換弁６１を通って、室外熱交換器６２に流入する。そして、室外熱交換器６２において凝縮した冷媒は、室外電動弁６４で減圧された後、室内熱交換器２０に流入する。そして、室内熱交換器２０において蒸発した冷媒は、四路切換弁６１及びアキュムレータ６５を介して、圧縮機６０に流入する。
【００３５】
温風暖房運転モード時には、室内電動弁２３が閉弁されると共に、四路切換弁６１が図1中実線で示す状態に切り換えられる。そのため、図１中実線の矢印で示すように、圧縮機６０から吐出された高温冷媒は、四路切換弁６１を通って、室内熱交換器２０に流入する。そして、室内熱交換器２０において凝縮した冷媒は、室外電動弁６４で減圧された後、室外熱交換器６２に流入する。そして、室外熱交換器６２において蒸発した冷媒は、四路切換弁６１及びアキュムレータ６５を介して、圧縮機６０に流入する。
【００３６】
輻射暖房運転モード時には、室内電動弁２３が開弁されると共に、四路切換弁６１が図２中実線で示す状態に切り換えられる。そのため、図２中実線の矢印で示すように、圧縮機６０から吐出された高温冷媒は、四路切換弁６１を通って、室内熱交換器２０と輻射パネル３０とに流入する。そして、室内熱交換器２０と輻射パネル３０において凝縮した冷媒は、室外電動弁６４で減圧された後、室外熱交換器６２に流入する。そして、室外熱交換器６２において蒸発した冷媒は、四路切換弁６１及びアキュムレータ６５を介して、圧縮機６０に流入する。
【００３７】
＜室内機２の構成＞
次に、室内機２の構成について説明する。
図３に示すように、本実施形態の室内機２は、全体として直方体形状を有しており、室内の床面近傍に据え付けるものである。本実施形態においては、室内機２は、床面から１０ｃｍ程度浮かした状態で、壁面に取り付けられている。なお、以下の説明において、室内機２が取り付けられる壁から突出する方向を「前方」と称し、その反対の方向を「後方」と称する。また、図３に示す左右方向を単に「左右方向」と称し、上下方向を単に「上下方向」と称する。
【００３８】
図４に示すように、室内機２は、ケーシング４と、ケーシング４内に収容された室内ファン２１、室内熱交換器２０、吹出口ユニット４６、および電装品ユニット４７などの内部機器と、前面グリル４２とを主に備えている。後で詳述するように、ケーシング４は、その下壁に形成された主吸込口４ａと、その前壁に形成された補助吸込口４ｂ、４ｃとを有している。さらに、ケーシング４の上壁には、吹出口４ｄが形成されている。室内機２においては、室内ファン２１の駆動により、主吸込口４ａから床面近傍にある空気を吸い込みつつ、補助吸込口４ｂ、４ｃからも空気を吸い込む。そして、室内熱交換器２０において、吸い込んだ空気に対して加熱または冷却などを行い調和する。その後、調和後の空気を吹出口４ｄから吹き出し、室内へと返流させる。
【００３９】
ケーシング４は、本体フレーム４１、吹出口カバー５１、輻射パネル３０及び開閉パネル５２で構成されている。なお、後述するように、吹出口カバー５１は前面パネル部５１ａを有しており、輻射パネル３０は輻射板３１を有している。吹出口カバー５１の前面パネル部５１ａ、輻射パネル３０の輻射板３１及び開閉パネル５２は、ケーシング４の前面において面一となるように配置され、前面パネル５を構成する。図３に示すように、前面パネル５の右上端部、すなわち吹出口カバー５１の前面パネル部５１ａの右端部には、電源ボタン４８と、運転状況を示す発光表示部４９とが設けられている。
【００４０】
本体フレーム４１は、壁面に取り付けられるものであり、上述の各種内部機器を支持している。そして、前面グリル４２、吹出口カバー５１、輻射パネル３０及び開閉パネル５２は、内部機器を支持している状態の本体フレーム４１の前面に取り付けられている。吹出口カバー５１は、本体フレーム４１の上端部に取り付けられており、その上壁に左右方向に長い矩形状の開口である吹出口４ｄが形成されている。輻射パネル３０は吹出口カバー５１の下方に、開閉パネル５２は輻射パネル３０の下方にそれぞれ取り付けられている。本体フレーム４１の下前端と開閉パネル５２の下端との間は、左右方向に長い開口である主吸込口４ａとなっている。
【００４１】
ここで、ケーシング４内に収容される各内部機器について説明する。
室内ファン２１は、ケーシング４の高さ方向中央部分のやや上方において、その軸方向が左右方向に沿うように配置されている。室内ファン２１は、下前方から空気を吸い込んで、上後方に吹き出すようになっている。
【００４２】
室内熱交換器２０は、前面パネル５と略平行に配置されており、前面パネル５の背面と対向する前面熱交換器２０ａと、前面熱交換器２０ａの下端部近傍から背面に近付くにつれて上方に傾斜する背面熱交換器２０ｂとで構成されている。前面熱交換器２０ａは、室内ファン２１の前方に配置されており、背面熱交換器２０ｂは、室内ファン２１の下方に配置されている。すなわち、室内熱交換器２０は、全体として略Ｖ字の形状を有しており、室内ファン２１と対向しつつ室内ファン２１の前方と下方とを取り囲むように配置されている。
【００４３】
室内熱交換器２０の下方には、左右方向に延在するドレンパン２２が配置されている。また、ドレンパン２２の下方には、電装品ユニット４７が配置されている。
【００４４】
吹出口ユニット４６は、室内ファン２１の上方に配置されており、室内ファン２１から吹き出された空気をケーシング４の上壁に形成された吹出口４ｄへと導くものである。吹出口ユニット４６は、吹出口４ｄの近傍に配置される水平羽根４６ａと、水平羽根４６ａの下方に配置される垂直羽根４６ｂとを備えている。水平羽根４６ａは、吹出口４ｄから吹き出される空気流の上下方向の風向きを変更すると共に、吹出口４ｄの開閉を行う。垂直羽根４６ｂは、吹出口４ｄから吹き出される空気流の左右方向の風向きを変更する。
【００４５】
前面グリル４２は、上述のように、室内熱交換器２０、室内ファン２１、吹出口ユニット４６及び電装品ユニット４７などの内部機器が取り付けられた状態の本体フレーム４１を覆うように、本体フレーム４１に取り付けられる。より具体的には、前面グリル４２は、前面熱交換器２０ａの上下方向略中央部分から、本体フレーム４１の下端までを覆うように、本体フレーム４１に取り付けられている。前面グリル４２は、フィルタ保持部４２ａと、主吸込口４ａに配置される吸込口グリル４２ｂとを有している。フィルタ保持部４２ａには、下部フィルタ４３と上部フィルタ４４とが上下に並んで取り付けられる。
【００４６】
吹出口カバー５１は、吹出口ユニット４６を覆っている。そして、上述のように、吹出口カバー５１の上壁には吹出口４ｄが形成されている。また、吹出口カバー５１の前面には、前面パネル部５１ａが設けられている。前面パネル部５１ａは、左右方向に長い矩形形状を有している。
【００４７】
輻射パネル３０は、左右に長い略矩形形状を有しており、後で詳述するように、輻射熱交換器３４を含んでいる。
【００４８】
開閉パネル５２は、輻射パネル３０の輻射板３１の下方に着脱可能に取り付けられている。開閉パネル５２は、左右方向に長い矩形形状を有している。図４に示すように、開閉パネル５２の上端の上下方向位置は、前面グリル４２の上端とほぼ同じである。上述のように、開閉パネル５２の下端は、主吸込口４ａに面している。したがって、開閉パネル５２を取り外すことにより、前面グリル４２を露出させ、前面グリル４２のフィルタ保持部４２ａに取り付けられている下部フィルタ４３及び上部フィルタ４４の着脱を行うことができる。
【００４９】
上述のように、前面パネル５は、吹出口カバー５１に設けられた前面パネル部５１ａと、輻射パネル３０に設けられた輻射板３１と、開閉パネル５２とで構成されている。そして、輻射パネル３０の輻射板３１と開閉パネル５２との間には、左右方向に伸延するスリット状の開口である補助吸込口４ｂが形成されている。すなわち、輻射板３１の下端部は、補助吸込口４ｂに面している。また、開閉パネル５２の上端近傍にも、左右方向に伸延するスリット状の開口である補助吸込口４ｃが形成されている。補助吸込口４ｂ、４ｃは、前面熱交換器２０ａと対向している。
【００５０】
＜輻射パネル３０の構成＞
図５及び図７に示すように、輻射パネル３０は、アルミ製の輻射板３１と、輻射板３１の背面に取り付けられた樹脂製の断熱カバー３２とで主に構成されている。また、図６に示すように、輻射板３１の背面には、冷媒回路１０を構成する配管の一部であるパネル配管３６が取り付けられている。より詳細には、パネル配管３６は、冷媒回路１０におけるパネル入温度センサ２５とパネル出温度センサ２６との間の配管である。
【００５１】
図５（ａ）に示すように、パネル配管３６の両端部は、正面視において輻射板３１の右側端部の下方に位置している。そして、パネル配管３６の両端には、パネル入温度センサ２５が付設されている部分の近傍の配管に接続される接続部３６ａと、パネル出温度センサ２６が付設されている部分の近傍の配管に接続される接続部３６ｂとが設けられている。室外機６から送られてきた冷媒は、接続部３６ａを介してパネル配管３６内に流入し、接続部３６ｂからパネル配管３６の外に流れ出る。
【００５２】
また、図５（ａ）において破線で示すように、パネル配管３６における輻射板３１の背面と対向する部分には、右側に開放された略Ｕ字の形状を有する輻射配管３６ｃが設けられている。より詳細には、輻射配管３６ｃは、左右方向に沿って伸延する直線状部分を上下に２つ備えており、これら２つの直線状部分の左側端部同士が接続されて、略Ｕ字の形状をなしている。そして、上述の２つの直線状部分のうち上方に位置するものの右側端部は接続部３６ａに接続されており、下方に位置するものの右側端部は接続部３６ｂに接続されている。よって、接続部３６ａを介してパネル配管３６内に流入した冷媒は、輻射配管３６ｃの上方に位置する直線状部分を、正面視において右側から左側に向かって流れた後、下方に位置する直線状部分を、左側から右側に向かって流れ、接続部３６ｂから流れ出る。
【００５３】
図６（ａ）、図７に示すように、輻射板３１の背面には、左右方向に沿って伸延する突起３１ａが上下に２本形成されている。上述のパネル配管３６における輻射配管３６ｃの直線状部分は、この突起３１ａに埋設されており、輻射板３１に固定されている。より詳細には、輻射配管３６ｃの直線状部分は、その表面の半分以上が突起３１ａによって被覆されており、輻射板３１側とは反対側の部分が露出している。このように、輻射配管３６ｃの表面のほとんどが、輻射板３１に形成された突起３１ａで覆われているので、パネル配管３６内を流れる冷媒の熱を輻射板３１に効率良く伝えることができる。図６（ｂ）に示すように、パネル配管３６は、輻射配管３６ｃの直線状部分が輻射板３１の背面と接触しており、輻射配管３６ｃの直線状部分以外の部分は輻射板３１の背面から離隔している。なお、輻射パネル３０において、輻射板３１全体と輻射配管３６ｃとで構成された部分が、輻射熱交換器３４である。
【００５４】
図６及び図７に示すように、輻射板３１の背面における上方に位置する突起３１ａの上方、及び下方に位置する突起３１ａの下方には、断熱カバー３２をネジ止めするための固定部３１ｂが形成されている。固定部３１ｂは、左右方向に沿って伸延しており、輻射板３１の背面から突出していると共にその先端が突起３１ａ側に向かって折り曲げられている。この折り曲げられた部分は、輻射板３１の背面と略平行であり、断熱カバー３２をネジ止めするためのネジ孔３１ｃが複数形成されている。
【００５５】
断熱カバー３２は、ネジによって、輻射板３１の固定部３１ｂに取り付けられている。図５（ｃ）、図７に示すように、パネル配管３６の輻射配管３６ｃは、輻射板３１の背面と断熱カバー３２の前面との間に形成された空間内に配置される。この空間内の空気による断熱作用により、輻射熱交換器３４を構成する輻射配管３６ｃからの熱が断熱カバー３２の外側の空間に伝わるのを抑制できる。
【００５６】
また、図６（ａ）、図７及び図８に示すように、輻射板３１の下端部、より詳細には、輻射板３１の背面における下方に位置する固定部３１ｂの下方には、左右方向に沿って伸延する溝部３９が形成されている。溝部３９の左右方向に沿う伸延長さは、輻射配管３６ｃの直線状部分の長さＬとほぼ同じである。また、本実施形態においては、輻射板３１の厚さｄ１は３ｍｍであり、溝部３９の深さｄ２は２〜２．５ｍｍであるとする。したがって、輻射板３１の溝部３９が形成された部分は、厚さｄ３が０．５〜１ｍｍであり、溝部３９が形成された部分以外に比べて厚みが薄く、伝熱抵抗が高くなっている。
【００５７】
また、図５に示すように、輻射板３１の背面における左右方向両端部には、ケーシング４の側面を構成するサイドパネル３７と、輻射パネル３０を本体フレーム４１に取り付けるための取付部材３８とが、端側から順番に取り付けられている。
【００５８】
＜本実施形態の室内機２の特徴＞
本実施形態の室内機２は、室内機２内において室内ファン２１と対向するように設けられた室内熱交換器２０と、室内機２の表面に設けられた輻射パネル３０とを有している。輻射パネル３０を構成する輻射板３１の下端部は、空気を室内機２内に吸い込む補助吸込口４ｂに面している。そして、輻射板３１の下端部に、伝熱を抑制する伝熱抑制手段となる溝部３９が形成されている。
したがって、輻射板３１の下端部の溝部３９が形成された部分は、その他の部分に比べて厚みが薄く、伝熱抵抗が大きくなっている。よって、輻射板３１における下端部以外の部分の熱が、溝部３９が形成された部分及び溝部３９よりも下端部側に移動するのを抑制できる。よって、輻射板３１の温度が全体的に低下するのを防ぐことができる。また、別部材を用いることなく容易に伝熱を抑制する手段を設けることができる。
【００５９】
また、本実施形態の室内機２では、ケーシング４の下壁（すなわち、室内機２の下端部）に設けられ、空気を吸い込む主吸込口４ａと、ケーシング４の上壁（すなわち、室内機２の上端部）に設けられ、空気を吹き出す吹出口４ｄと、ケーシング４の前壁（すなわち、主吸込口４ａと吹出口４ｄとの間）に設けられた補助吸込口４ｂ、４ｃとを有している。そして、輻射パネル３０の輻射板３１の下端部が、補助吸込口４ｂに面している。
したがって、輻射板３１の下端部に面する補助吸込口４ｂを設けた場合でも、輻射板３１の温度が全体的に低下するのを防ぐことができる。
【００６０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００６１】
上述の実施形態では、輻射板３１の下端部に伝熱抑制手段となる溝部３９を設ける場合について説明したが、伝熱抑制手段はこれには限定されない。
【００６２】
すなわち、図９に示すように、本実施形態の第１の変形例に係る室内機においては、輻射板３１の下端部に肉薄部１３９が設けられている。肉薄部１３９は、輻射板３１の背面における下端部を切り欠くことで、一定厚さに形成されている。本変形例においては、輻射板３１の肉薄部１３９以外の部分の厚さｄ１は３ｍｍであり、肉薄部１３９の厚さｄ４は０．５〜１ｍｍであるとする。
【００６３】
本変形例においては、輻射板３１の肉薄部１３９が形成された下端部は、その他の部分に比べて伝熱抵抗が大きくなっている。よって、上述の実施形態と同様に、輻射板３１における下端部以外の部分の熱が、補助吸込口４ｂから吸い込まれる空気によって冷却された下端部に移動するのを抑制できる。
【００６４】
また、図１０に示すように、本実施形態の第２の変形例に係る室内機においては、輻射板３１の下端部に、先端に近付くにつれて薄くなる肉薄部２３９が設けられている。肉薄部２３９は、輻射板３１の背面における下端部にテーパを設けることで形成されており、下方に向かって尖った形状を有している。
【００６５】
本変形例においては、上述の実施形態と同様に、輻射板３１における下端部以外の部分の熱が、肉薄部２３９が形成された下端部に移動するのを抑制できる。また、輻射板３１の下端部の先端に近付くにつれて、伝熱抵抗が大きくなっている。したがって、輻射板３１における下端部以外の部分の熱が、補助吸込口４ｂからの吸い込み空気によって最も冷却される輻射板３１の下端部の先端近傍に移動するのを抑制できる。
【００６６】
さらに、図１１に示すように、本実施形態の第３の変形例に係る室内機においては、輻射板３１の下端部に、断熱部材３３９が設けられている。断熱部材３３９は、輻射板３１の下端部以外の部分を形成する材料に比べて、熱伝導率が低い材料で形成されている。本変形例においては、輻射板３１の下端部以外の部分は、上述の実施形態と同様に、アルミ（熱伝導率２３７Ｗ／（ｍ・ｋ））で形成されている。すなわち、断熱部材３３９は、例えば、発泡ポリエチレン（熱伝導率０．０４２Ｗ／（ｍ・ｋ））等の、アルミに比べて熱伝導率が低い材料で形成されている。なお、本変形例においては、断熱部材３３９は、輻射板３１の下端まで延びているが、断熱材３３９は、輻射板３１の下端近傍に設けられていればよい。
【００６７】
本変形例においては、上述の実施形態と同様に、輻射板３１における下端部以外の部分の熱が、断熱部材３３９が設けられた下端部に移動するのを抑制できる。
【００６８】
また、上述の実施形態では、輻射板３１の下端部に形成される溝部３９が、左右方向に伸延しており、輻射配管３６ｃの直線状部分の長さとほぼ同じ長さを有している場合について説明したが、溝部３９の形状や大きさは変更可能である。したがって、例えば、溝部３９は、左右方向に関して互いに離隔しつつ複数形成されていてもよい。
同様に、上述の第１〜第３変形例の肉薄部１３９、２３９、及び断熱部材３３９についても、形状や大きさは変更可能である。
【００６９】
加えて、上述の実施形態及びその変形例では、輻射板３１の下端部が、補助吸込口４ｂに面している場合について説明したが、これには限定されない。輻射板３１の上端部等、下端部以外の端部が吸込口に面している場合にも、本発明を適用できる。また、輻射板３１の端部は、主吸込口４ａに面していてもよい。
【００７０】
また、上述の実施形態においては、主吸込口４ａに加えて、補助吸込口４ｂ、４ｃを有している場合について説明したが、補助吸込口４ｂ、４ｃはなくてもよい。
【００７１】
また、上述の実施形態においては、室内熱交換器２０と輻射パネル３０とが並列に接続された冷媒回路１０を備えた空気調和機１に、本発明の室内機２を適用する場合について説明したが、これには限定されない。本発明は、室内熱交換器２０と輻射パネル３０とが直列に接続された冷媒回路を備えた空気調和機に適用することも可能である。
【産業上の利用可能性】
【００７２】
本発明を利用すれば、輻射熱交換器（輻射パネル）の輻射板の温度が低下するのを防ぐことができる。
【符号の説明】
【００７３】
２  室内機
４ａ  主吸込口
４ｂ  補助吸込口（吸込口）
４ｄ  吹出口
２０  室内熱交換器
２１  室内ファン
３４  輻射熱交換器
３９  溝部（伝熱抑制手段）
１３９、２３９  肉薄部（伝熱抑制手段）
３３９  断熱部材（伝熱抑制手段）
【図１】
2012172848.tif 000003
【図２】
2012172848.tif 000004
【図３】
2012172848.tif 000005
【図４】
2012172848.tif 000006
【図５】
2012172848.tif 000007
【図６】
2012172848.tif 000008
【図７】
2012172848.tif 000009
【図８】
2012172848.tif 000010
【図９】
2012172848.tif 000011
【図１０】
2012172848.tif 000012
【図１１】
2012172848.tif 000013